【手続補正書】
【提出日】平成19年1月11日(2007.1.11)
【手続補正１】
【補正対象書類名】明細書
【補正対象項目名】００７０
【補正方法】変更
【補正の内容】
【００７０】
この端子ボックス４２の右側面にはロック機構３０を有しており、ＨＤＤユニット４０への電源を断つと当該ＨＤＤユニット４０をサーバー本体に固定するようになされる。例えば、ＨＤＤユニット４０にはロック機構用の溝部４６が設けられ、サーバー本体が動作していないときに、図示しない突起部が溝部４６に入り込むことにより、ＨＤＤユニット４０が外れされるのを防ぐようになされる。この突起部は図示しないロック解除スイッチによって電源がオフされると、溝部４６に入り込み、電源がオンされると、溝部４６から抜け出すようなソレノイドなどに連動して使用される。
【手続補正２】
【補正対象書類名】明細書
【補正対象項目名】００７９
【補正方法】変更
【補正の内容】
【００７９】
図９はＨＤＤユニット装着時の接続コネクタ５０の周辺の構成例を示すイメージ図である。図９に示すホームＡＶサーバー２０にはＣＰＵ２７及び電源制御用のリレー６０が設けられ、ＣＰＵ２７には本体側制御端子５４及びプルアップ用の抵抗器Ｒ２が接続されている。この例ではＨＤＤユニット装着時に本体側制御端子５４と、ＨＤＤユニット４０の電源制御端子４４とが接続され、サーバー本体にＨＤＤユニット４０が完全に装着されたか否かが検出される。
【手続補正３】
【補正対象書類名】明細書
【補正対象項目名】００８０
【補正方法】変更
【補正の内容】
【００８０】
更に、ＣＰＵ２７には本体側電極５９及びプルアップ用の抵抗器Ｒ３が接続されている。ＨＤＤユニット装着時には本体側電極５９と、ＨＤＤユニット４０の電源制御電極パターン４９とが接続され、サーバー本体にＨＤＤユニット４０が装着し始められたか否かが検出される。このＣＰＵ２７にはリレー６０が接続され、サーバー本体からの電源（＋５Ｖ）をＨＤＤユニット４０に供給するようになされる。
【手続補正４】
【補正対象書類名】明細書
【補正対象項目名】００８１
【補正方法】変更
【補正の内容】
【００８１】
このリレー６０には本体側制御端子５５及び本体側電極５８が接続されている。ＨＤＤユニット装着時には本体側制御端子５５と、ＨＤＤユニット４０の自動消去制御端子４５とが接続されると共に、本体側電極５８とその電源供給電極パターン４８とが接続される。本体側電極５７はサーバー本体側の接地（ＧＮＤ）であり、ＨＤＤユニット装着時には本体側電極５７が電源供給電極パターン４７に接続される。
【手続補正５】
【補正対象書類名】明細書
【補正対象項目名】００８４
【補正方法】変更
【補正の内容】
【００８４】
［ＨＤＤユニット装着時の動作例］
まず、図１１のタイムチャートの時刻ｔ０及び、図１２のフローチャートのステップＣ１でサーバー本体へ当該ＨＤＤユニット４０を挿入すると、ステップＣ２で端子ボックス４２内の各端子４３，４４，４５に比べて先に、本体側電極５７が電源供給電極パターン４７に接触し接続され、同様にして本体側電極５８と電源供給電極パターン４８とが接続され、図１１に示す(１)のタイミングで、本体側電極５９と電源制御電極パターン４９とが各々接続される。しかし、この時点ではリレー６０がオフされていることから、電源供給電極パターン４８には電源が供給されていない。
【手続補正６】
【補正対象書類名】明細書
【補正対象項目名】００８６
【補正方法】変更
【補正の内容】
【００８６】
そして、ステップＣ４でＣＰＵ２７では抵抗器Ｒ２による電位レベルが「Ｌ」レベルに変化したかが検出される。図１１に示す(２)のタイミングで抵抗器Ｒ２による電位が「Ｈ」レベルから「Ｌ」レベルに変化したことが検出されると、この検出結果により、当該ＨＤＤユニット４０がサーバー本体へ装着されたことをＣＰＵ２７に認識させることができる。ＣＰＵ２７は本体側電極５４が「Ｌ」レベルになると、図１１に示す(３)のタイミング及び図１２に示すステップＣ５でＨＤＤユニット４０が接続されたと判断して、リレー６０をオンしてサーバー本体からの電源（＋５Ｖ）を本体側電極５８，電源供給電極パターン４８を通してＨＤＤユニット４０内に供給するようになされる。
【手続補正７】
【補正対象書類名】明細書
【補正対象項目名】００８８
【補正方法】変更
【補正の内容】
【００８８】
［ＨＤＤユニット抜去時の動作例］
続いて、図１１のタイムチャートの時刻ｔ２及び図１２に示すフローチャートのステップＣ６でＨＤＤユニット４０を引き抜くと、まず、本体側接続コネクタ５０から端子ボックス４２内の各端子４３，４４，４５が外れる。当該ＨＤＤユニット４０がサーバー本体から引き抜かれた直後には、ＣＰＵ２７では抵抗器Ｒ２による「Ｈ」レベルと、ＨＤＤユニット４０の電源制御電極パターン４９の「Ｌ」レベルとを検出するようになされる。図１１に示す(４)のタイミング及び図１２に示すステップＣ７でＨＤＤユニット４０ではＣＰＵ５３により自動消去制御端子４５の電位が検出される。このとき、本体側接続コネクタ５０から自動消去制御端子４５が外れることにより、抵抗器Ｒ１による電位は「Ｌ」レベルになる。
【手続補正８】
【補正対象書類名】明細書
【補正対象項目名】００８９
【補正方法】変更
【補正の内容】
【００８９】
一方、ＨＤＤユニット４０の電源供給電極パターン４７、４８、電源制御電極パターン４９は端子ボックス４２内の各端子４３，４４，４５に比べて長い構造を有している。そのために、この時点では、まだ、ＣＰＵ２７はリレー６０をオンしたままなので、電源供給電極パターン４７、４８を通してＨＤＤユニット４０に電源が供給されている（時差駆動方式）。
【手続補正９】
【補正対象書類名】明細書
【補正対象項目名】００９０
【補正方法】変更
【補正の内容】
【００９０】
従って、ＣＰＵ５３は自動消去制御端子４５の電位変化を検出することができる。ＣＰＵ５３はＨＤＤユニット４０が自動消去型に設定されている場合、この自動消去制御端子４５の電位が「Ｌ」レベルになると、図１１に示す(５)のタイミング及び図１２に示すステップＣ８でメモリ部５６内のファイルを消去するようになされる。消去時間をＴとすると、Ｔ＝ｔ３−ｔ２である。
【手続補正１０】
【補正対象書類名】明細書
【補正対象項目名】００９１
【補正方法】変更
【補正の内容】
【００９１】
更に、ＨＤＤユニット４０が引き抜かれると、電源制御電極パターン４９が本体側電極５９から離れる。このときＣＰＵ２７では抵抗器Ｒ２による「Ｈ」レベルと、図１１に示す(６)のタイミング及び図１２に示すステップＣ９で本体側電極５９の電位が検出される。抵抗器Ｒ３による「Ｈ」レベルがＣＰＵ２７により検出されると、図１１に示す(７)のタイミング及びステップＣ１０に移行してＣＰＵ２７はリレー６０をオフしてＨＤＤユニット４０への電源供給を停止するようになされる（データ消去機構）。
【手続補正１１】
【補正対象書類名】明細書
【補正対象項目名】００９２
【補正方法】変更
【補正の内容】
【００９２】
［第２の実施例］
図１３は本発明に係る第２の実施例としてのホームＡＶサーバー２００の内部構成例を示すブロック図である。この例では図４に示したホームＡＶサーバー２０にＴＶチューナー＆エンコーダ３８を追加したものである。なお、第１の実施例と同じ符号及び同じ名称のものは同じ機能を有するため、その説明を省略する。
【手続補正１２】
【補正対象書類名】明細書
【補正対象項目名】００９３
【補正方法】変更
【補正の内容】
【００９３】
図１３に示すホームＡＶサーバー２００ではＴＶチューナー＆エンコーダ３８がアンテナ３９に接続され、このアンテナ３９から受信した通常のＴＶ放送信号をエンコードしてＨＤＤユニット４０に録画するようになされる。この場合に、放送局から配信される著作権付きの著名映画などを第１の実施例で説明した情報貸出管理方法を応用し、貸出期限を区切って利用者に視聴させることができる。
【手続補正１３】
【補正対象書類名】明細書
【補正対象項目名】符号の説明
【補正方法】変更
【補正の内容】
【符号の説明】
１・・・情報貸出管理装置、２・・・通信手段、３・・・情報処理装置、４・・・記憶媒体、８・・・モニタ（表示手段）、１０・・・情報貸出管理システム、１１・・・データ処理手段、１２・・・送受信手段、１３，１４・・・データベース、１６・・・ビデオ貸出管理装置（情報貸出管理装置）、２０，２００・・・ホームＡＶサーバー（情報処理装置）、２５・・・ネットワークインタフェース（送受信手段）、２７，５３・・・ＣＰＵ（制御手段）、３８・・・ＴＶチューナー＆エンコーダ、４０・・・ＨＤＤユニット（記録媒体）、４４・・・電源制御端子、４５・・・自動消去制御端子、４７，４８・・・電源供給電極パターン、４９・・・電源制御電極パターン、５０・・・本体側接続コネクタ、１００・・・レンタルビデオ配信管理システム
【手続補正１４】
【補正対象書類名】図面
【補正対象項目名】図９
【補正方法】変更
【補正の内容】
【図９】
2001297163.tif 000001
【手続補正１５】
【補正対象書類名】図面
【補正対象項目名】図１１
【補正方法】変更
【補正の内容】
【図１１】
2001297163.tif 000002
【手続補正１６】
【補正対象書類名】図面
【補正対象項目名】図１３
【補正方法】変更
【補正の内容】
【図１３】
2001297163.tif 000003